(57)【要約】【課題】携帯電話機の環境設定をウェブサイト等より一括してダウンロード・保存・設定でき、複数の設定を一度に変更する事を可能にし、現在どのパーターンに設定されているかを一見して判断できる携帯電話機の環境一括設定システムを提供する。【解決手段】携帯電話機Ｂの環境設定にはＦｉｌｅ０００を設定する。この環境設定ウェブサイトＡには１０１〜１０６（または２０１〜２０６）の携帯電話機の環境設定に関するデータが格納された、Ｆｉｌｅ１００，Ｆｉｌｅ２００がアップされている。利用者は携帯電話機ＢからウェブサイトＡにアクセスし、Ｆｉｌｅ１００をダウンロードした時、携帯電話機ＢにはＦｉｌｅ３００にＦｉｌｅ１００のデータが保存され、『このデータで設定しますか？』のポップアップに『はい』を選択回答すると、携帯電話機Ｂの環境はデータ３０１〜３０６で指定されたものに設定される。【選択図】      図１
2004248170.tif 000002
【特許請求の範囲】
【請求項１】
第１の環境設定ファイルが保存されている第１の携帯電話機と、第２の環境設定ファイルと第３の環境設定ファイルとがアップされているウェブサイトとから構成され、
前記第１の環境設定ファイルのデータで前記第１の携帯電話機の環境は設定されており、
前記第１の携帯電話機が前記ウェブサイトにアクセスし、前記第２の環境設定ファイルをダウンロードした時、前記第１の携帯電話機には前記第１の携帯電話機の第４の環境設定ファイルに前記第２の環境設定ファイルのデータが保存され、
前記第４の環境設定ファイルのデータで前記第１の携帯電話機の環境を設定するかどうかを判断し、
前記第４の環境設定ファイルのデータで前記第１の携帯電話機の環境を設定する場合は、前記第４の環境設定ファイルを実行し、前記第１の携帯電話機の環境は前記第４の環境設定ファイルのデータで指定されたものに設定され、
前記第４の環境設定ファイルのデータで前記第１の携帯電話機の環境を設定しない場合は、前記第１の携帯電話機の環境は変更されず、
前記第１の携帯電話機が前記ウェブサイトにアクセスし、前記第３の環境設定ファイルをダウンロードした時、前記第１の携帯電話機には前記第１の携帯電話機の第５の環境設定ファイルに前記第３の環境設定ファイルのデータが保存され、
前記第５の環境設定ファイルのデータで前記第１の携帯電話機の環境を設定するかどうかを判断し、
前記第５の環境設定ファイルのデータで前記第１の携帯電話機の環境を設定する場合は、前記第５の環境設定ファイルを実行し、前記第１の携帯電話機の環境は前記第５の環境設定ファイルのデータで指定されたものに設定され、
前記第５の環境設定ファイルのデータで前記第１の携帯電話機の環境を設定しない場合は、前記第１の携帯電話機の環境は変更されない、携帯電話機の環境一括設定システム。
【請求項２】
第１の環境設定ファイルが保存されている第１の携帯電話機と、第２の環境設定ファイルと第３の環境設定ファイルとが保存されているパソコンとから構成され、
前記第１の環境設定ファイルのデータで前記第１の携帯電話機の環境は設定されており、
前記第１の携帯電話機が前記パソコンにアクセスし、前記第２の環境設定ファイルをシリアルケーブルを使ってダウンロードした時、前記第１の携帯電話機には前記第１の携帯電話機の第４の環境設定ファイルに前記第２の環境設定ファイルのデータが保存され、
前記第４の環境設定ファイルのデータで前記第１の携帯電話機の環境を設定するかどうかを判断し、
前記第４の環境設定ファイルのデータで前記第１の携帯電話機の環境を設定する場合は、前記第４の環境設定ファイルを実行し、前記第１の携帯電話機の環境は前記第４の環境設定ファイルのデータで指定されたものに設定され、
前記第４の環境設定ファイルのデータで前記第１の携帯電話機の環境を設定しない場合は、前記第１の携帯電話機の環境は変更されず、
前記第１の携帯電話機が前記パソコンにアクセスし、前記第３の環境設定ファイルを前記シリアルケーブルを使ってダウンロードした時、前記第１の携帯電話機には前記第１の携帯電話機の第５の環境設定ファイルに前記第３の環境設定ファイルのデータが保存され、
前記第５の環境設定ファイルのデータで前記第１の携帯電話機の環境を設定するかどうかを判断し、
前記第５の環境設定ファイルのデータで前記第１の携帯電話機の環境を設定する場合は、前記第５の環境設定ファイルを実行し、前記第１の携帯電話機の環境は前記第５の環境設定ファイルのデータで指定されたものに設定され、
前記第５の環境設定ファイルのデータで前記第１の携帯電話機の環境を設定しない場合は、前記第１の携帯電話機の環境は変更されない、携帯電話機の環境一括設定システム。
【請求項３】
第１の環境設定ファイルが保存されている第１の携帯電話機と、第２の環境設定ファイルと第３の環境設定ファイルとが保存されている第２の携帯電話機とから構成され、
前記第１の環境設定ファイルのデータで前記第１の携帯電話機の環境は設定されており、
前記第１の携帯電話機が前記第２の携帯電話機にアクセスし、前記第２の環境設定ファイルを赤外線を使ってダウンロードした時、前記第１の携帯電話機には前記第１の携帯電話機の第４の環境設定ファイルに前記第２の環境設定ファイルのデータが保存され、
前記第４の環境設定ファイルのデータで前記第１の携帯電話機の環境を設定するかどうかを判断し、
前記第４の環境設定ファイルのデータで前記第１の携帯電話機の環境を設定する場合は、前記第４の環境設定ファイルを実行し、前記第１の携帯電話機の環境は前記第４の環境設定ファイルのデータで指定されたものに設定され、
前記第４の環境設定ファイルのデータで前記第１の携帯電話機の環境を設定しない場合は、前記第１の携帯電話機の環境は変更されず、
前記第１の携帯電話機が前記第２の携帯電話機にアクセスし、前記第３の環境設定ファイルを前記赤外線を使ってダウンロードした時、前記第１の携帯電話機には前記第１の携帯電話機の第５の環境設定ファイルに前記第３の環境設定ファイルのデータが保存され、
前記第５の環境設定ファイルのデータで前記第１の携帯電話機の環境を設定するかどうかを判断し、
前記第５の環境設定ファイルのデータで前記第１の携帯電話機の環境を設定する場合は、前記第５の環境設定ファイルを実行し、前記第１の携帯電話機の環境は前記第５の環境設定ファイルのデータで指定されたものに設定され、
前記第５の環境設定ファイルのデータで前記第１の携帯電話機の環境を設定しない場合は、前記第１の携帯電話機の環境は変更されない、携帯電話機の環境一括設定システム。
【請求項４】
前記第１の環境設定ファイルのデータで前記第１の携帯電話機の環境は設定されており、前記第１の携帯電話機には前記第１の携帯電話機の第４の環境設定ファイルに前記第２の環境設定ファイルのデータが保存され、前記第１の携帯電話機には前記第１の携帯電話機の第５の環境設定ファイルに前記第３の環境設定ファイルのデータが保存されている場合、
前記第４の環境設定ファイル又は前記第５の環境設定ファイルのいずれかを選択実行することにより、前記第１の携帯電話機の環境は前記第４の環境設定ファイルのデータで指定されたもの又は前記第５の環境設定ファイルのデータで指定されたものに設定される、請求項１又は請求項２に記載の携帯電話機の環境一括設定システム。
【請求項５】
前記第１の環境設定ファイルと、前記第２の環境設定ファイルと、前記第３の環境設定ファイルと、前記第４の環境設定ファイルと、前記第５の環境設定ファイルとには、同一の形式で、壁紙の画像データと、グループ化されたアイコンデータと、着信音の音楽データと、留守電機能をＯＮにするか、ＯＦＦにするかの情報と、ボタン確認音をＯＮにするか、ＯＦＦにするかの情報と、バイブレータをＯＮにするか、ＯＦＦにするかの情報とが、各々格納されている、請求項１から請求項４のいずれか１項に記載の携帯電話機の環境一括設定システム。
【請求項６】
前記第１の環境設定ファイルと、前記第４の環境設定ファイルと、前記第５の環境設定ファイルとに、各々格納されている、壁紙の画像データと、グループ化されたアイコンデータと、着信音の音楽データと、留守電機能をＯＮにするか、ＯＦＦにするかの情報と、ボタン確認音をＯＮにするか、ＯＦＦにするかの情報と、バイブレータをＯＮにするか、ＯＦＦにするかの情報とを、組み合わせてオリジナルの環境設定ファイルを作成し、前記第１の携帯電話機に前記オリジナルの環境設定ファイルのデータを保存し、
該オリジナルの環境設定ファイルを実行することにより、前記第１の携帯電話機の環境は前記オリジナルの環境設定ファイルのデータで指定されたものに設定される、請求項５に記載の携帯電話機の環境一括設定システム。
【発明の詳細な説明】
【０００１】
【発明の属する技術分野】
本発明は、携帯電話機の環境一括設定システムに関する。
【０００２】
【従来の技術】
従来より、携帯電話機には各種設定を変更する機能、または壁紙（画面背景）、アイコンや着信音をウェブサイトからダウンロードして来て設定することは可能であった。
【０００３】
例えば、ユーザが操作部を操作することによりメモリに格納されているいずれかの設定ファイルを選択すると、ＣＰＵは選択された設定ファイルを読み出して、時分割多重回路へ出力し、時分割多重回路は入力されたデータを時分割して出力し、続く多重化／分離回路はデータを画像データと音声データとに分離して、画像データを画像制御部へ、音声データを音声制御部へ出力し、画像制御部は入力されたデータの拡張子を識別して各環境設定データをメモリの所定のメモリエリアに格納することにより画面表示に係る環境設定を変更し、同様に、音声制御部も各着信メロディをメモリの所定のメモリエリアに格納することにより着信メロディを更新する移動通信端末がある（例えば、特許文献１参照。）。
【０００４】
また、ユーザがコールセンタのオペレータと通話を行い希望する設定モードの変更を伝達すると、オペレータは、その変更に対応する特殊コマンドを含むコンテンツを作成してサーバにアップロードし、ユーザが携帯電話装置によってサーバにアクセスを行い、アップロードされたコンテンツをダウンロードすると、携帯電話装置の設定モードが変更される携帯電話装置の設定サービスシステムがある（例えば、特許文献２参照。）。
【０００５】
また、携帯情報端末と、携帯情報端末に接続するとともに、携帯情報端末の機能設定情報を有するサーバとを備えた通信システムにおける携帯情報端末の機能設定方法において、サーバが有する機能設定情報に対する要求が携帯情報端末からサーバにあったとき、要求があった機能設定情報をサーバから携帯情報端末にダウンロードする機能設定方法がある（例えば、特許文献３参照。）。
【０００６】
また、携帯電話が保存可能な数以上の着信用メロディーを実質的に持たせることができるような情報の提供を行う配信サーバがある（例えば、特許文献４参照。）。
【０００７】
【特許文献１】
特開２００２−１１８６３８号公報
【特許文献２】
特開２００２−１４２０２１号公報
【特許文献３】
特開２００２−２８１１５５号公報
【特許文献４】
特開２００２−３００３１４号公報
【０００８】
【発明が解決しようとする課題】
しかし、上述の従来技術には、次のような問題点があった。
【０００９】
第１の問題点は、複数の設定を変更するにもひとつずつ設定を変更して行かなければならないということである。
【００１０】
その理由は、着信音、留守電、ボタン確認音、バイブレータ等の音に関する設定は多くあり、それらの設定は時間や場所によって変更する必要がある機会が多く存在し、またその状況はあらゆるケースが考えられるにもかかわらず、各々設定すると多くの時間がかかる。
【００１１】
また、ワンタッチで設定できる機能があったとしても、ひとつの状況に偏ったものとなる。
【００１２】
第２の問題点は、複数パターンの設定が選択出来たとすると、現在どのパターンが設定されているかが一目見ただけでは判りにくいということである。
【００１３】
その理由は、留守電ＯＮ／ＯＦＦ、バイブレータＯＮ／ＯＦＦ程度は直ぐに設定されていることが判る事が多いが、それ以外に設定を一見して判別するのは難しい。壁紙（画面背景）やアイコンを同時に設定する事が出来れば現状の設定が明確となるが、環境設定が多くなり、利用者の好みに設定する為に多くの設定が必要となっているからである。
【００１４】
本発明の目的は携帯電話機の環境設定をウェブサイト等より一括してダウンロード・保存・設定でき、複数の設定を一度に変更する事を可能にし、現在どのパーターンに設定されているかを一見して判断できる携帯電話機の環境一括設定システムを提供することにある。
【００１５】
【課題を解決するための手段】
本発明の携帯電話機の環境一括設定システムは、
第１の環境設定ファイルが保存されている第１の携帯電話機と、第２の環境設定ファイルと第３の環境設定ファイルとがアップされているウェブサイトとから構成され、第１の環境設定ファイルのデータで第１の携帯電話機の環境は設定されており、第１の携帯電話機がウェブサイトにアクセスし、第２の環境設定ファイルをダウンロードした時、第１の携帯電話機には第１の携帯電話機の第４の環境設定ファイルに第２の環境設定ファイルのデータが保存され、第４の環境設定ファイルのデータで第１の携帯電話機の環境を設定するかどうかを判断し、第４の環境設定ファイルのデータで第１の携帯電話機の環境を設定する場合は、第４の環境設定ファイルを実行し、第１の携帯電話機の環境は第４の環境設定ファイルのデータで指定されたものに設定され、第４の環境設定ファイルのデータで第１の携帯電話機の環境を設定しない場合は、第１の携帯電話機の環境は変更されず、第１の携帯電話機がウェブサイトにアクセスし、第３の環境設定ファイルをダウンロードした時、第１の携帯電話機には第１の携帯電話機の第５の環境設定ファイルに第３の環境設定ファイルのデータが保存され、第５の環境設定ファイルのデータで第１の携帯電話機の環境を設定するかどうかを判断し、第５の環境設定ファイルのデータで第１の携帯電話機の環境を設定する場合は、第５の環境設定ファイルを実行し、第１の携帯電話機の環境は第５の環境設定ファイルのデータで指定されたものに設定され、第５の環境設定ファイルのデータで第１の携帯電話機の環境を設定しない場合は、第１の携帯電話機の環境は変更されない。
【００１６】
本発明の携帯電話機の環境一括設定システムは、
第１の環境設定ファイルが保存されている第１の携帯電話機と、第２の環境設定ファイルと第３の環境設定ファイルとが保存されているパソコンとから構成され、第１の環境設定ファイルのデータで第１の携帯電話機の環境は設定されており、第１の携帯電話機がパソコンにアクセスし、第２の環境設定ファイルをシリアルケーブルを使ってダウンロードした時、第１の携帯電話機には第１の携帯電話機の第４の環境設定ファイルに第２の環境設定ファイルのデータが保存され、第４の環境設定ファイルのデータで第１の携帯電話機の環境を設定するかどうかを判断し、第４の環境設定ファイルのデータで第１の携帯電話機の環境を設定する場合は、第４の環境設定ファイルを実行し、第１の携帯電話機の環境は前記第４の環境設定ファイルのデータで指定されたものに設定され、第４の環境設定ファイルのデータで第１の携帯電話機の環境を設定しない場合は、第１の携帯電話機の環境は変更されず、第１の携帯電話機がパソコンにアクセスし、第３の環境設定ファイルをシリアルケーブルを使ってダウンロードした時、第１の携帯電話機には第１の携帯電話機の第５の環境設定ファイルに第３の環境設定ファイルのデータが保存され、第５の環境設定ファイルのデータで第１の携帯電話機の環境を設定するかどうかを判断し、第５の環境設定ファイルのデータで第１の携帯電話機の環境を設定する場合は、第５の環境設定ファイルを実行し、第１の携帯電話機の環境は第５の環境設定ファイルのデータで指定されたものに設定され、第５の環境設定ファイルのデータで第１の携帯電話機の環境を設定しない場合は、第１の携帯電話機の環境は変更されない。
【００１７】
本発明の携帯電話機の環境一括設定システムは、
第１の環境設定ファイルが保存されている第１の携帯電話機と、第２の環境設定ファイルと第３の環境設定ファイルとが保存されている第２の携帯電話機とから構成され、第１の環境設定ファイルのデータで第１の携帯電話機の環境は設定されており、第１の携帯電話機が第２の携帯電話機にアクセスし、第２の環境設定ファイルを赤外線を使ってダウンロードした時、第１の携帯電話機には第１の携帯電話機の第４の環境設定ファイルに第２の環境設定ファイルのデータが保存され、第４の環境設定ファイルのデータで第１の携帯電話機の環境を設定するかどうかを判断し、第４の環境設定ファイルのデータで第１の携帯電話機の環境を設定する場合は、第４の環境設定ファイルを実行し、第１の携帯電話機の環境は前記第４の環境設定ファイルのデータで指定されたものに設定され、第４の環境設定ファイルのデータで第１の携帯電話機の環境を設定しない場合は、第１の携帯電話機の環境は変更されず、第１の携帯電話機が第２の携帯電話機にアクセスし、第３の環境設定ファイルを赤外線を使ってダウンロードした時、第１の携帯電話機には第１の携帯電話機の第５の環境設定ファイルに第３の環境設定ファイルのデータが保存され、第５の環境設定ファイルのデータで第１の携帯電話機の環境を設定するかどうかを判断し、第５の環境設定ファイルのデータで第１の携帯電話機の環境を設定する場合は、第５の環境設定ファイルを実行し、前記第１の携帯電話機の環境は前記第５の環境設定ファイルのデータで指定されたものに設定され、第５の環境設定ファイルのデータで第１の携帯電話機の環境を設定しない場合は、第１の携帯電話機の環境は変更されない。
【００１８】
また、第１の環境設定ファイルのデータで第１の携帯電話機の環境は設定されており、第１の携帯電話機には第１の携帯電話機の第４の環境設定ファイルに第２の環境設定ファイルのデータが保存され、第１の携帯電話機には第１の携帯電話機の第５の環境設定ファイルに第３の環境設定ファイルのデータが保存されている場合、第４の環境設定ファイル又は第５の環境設定ファイルのいずれかを選択実行することにより、第１の携帯電話機の環境は第４の環境設定ファイルのデータで指定されたもの又は第５の環境設定ファイルのデータで指定されたものに設定されてもよい。
【００１９】
また、第１の環境設定ファイルと、第２の環境設定ファイルと、第３の環境設定ファイルと、第４の環境設定ファイルと、第５の環境設定ファイルとには、同一の形式で、壁紙の画像データと、グループ化されたアイコンデータと、着信音の音楽データと、留守電機能をＯＮにするか、ＯＦＦにするかの情報と、ボタン確認音をＯＮにするか、ＯＦＦにするかの情報と、バイブレータをＯＮにするか、ＯＦＦにするかの情報とが、各々格納されてもよい。
【００２０】
また、第１の環境設定ファイルと、第４の環境設定ファイルと、第５の環境設定ファイルとに、各々格納されている、壁紙の画像データと、グループ化されたアイコンデータと、着信音の音楽データと、留守電機能をＯＮにするか、ＯＦＦにするかの情報と、ボタン確認音をＯＮにするか、ＯＦＦにするかの情報と、バイブレータをＯＮにするか、ＯＦＦにするかの情報とを、組み合わせてオリジナルの環境設定ファイルを作成し、第１の携帯電話機にオリジナルの環境設定ファイルのデータを保存し、オリジナルの環境設定ファイルを実行することにより、第１の携帯電話機の環境はオリジナルの環境設定ファイルのデータで指定されたものに設定されてもよい。
【００２１】
従って、本発明により複数ある環境設定を少ない操作でできるため、ウェブサイトやパソコン又は他の携帯電話機から環境設定ファイルを一括してダウンロードできる。
【００２２】
また、容易に必要に応じた設定に変更できるため、携帯電話機の中に複数の環境設定ファイルを保存できる。
【００２３】
また、環境設定ファイル内にイメージを登録できるため、一見してその時の環境設定が判別できる。
【００２４】
また、携帯電話機内に保存されたファイルは他のデータを登録変更する事でカスタム可能である。
【００２５】
【発明の実施の形態】
（発明の第１の実施の形態）
発明の第１の実施の形態の携帯電話機の環境一括設定システムは、図１のようになる。
【００２６】
環境設定は、Ｆｉｌｅ０００，Ｆｉｌｅ１００，Ｆｉｌｅ２００，Ｆｉｌｅ３００，Ｆｉｌｅ４００という単位となる。はじめ、携帯電話機Ｂの環境設定にはＦｉｌｅ０００を設定する。
【００２７】
この環境設定ウェブサイトＡには１０１〜１０６（または２０１〜２０６）の携帯電話機の環境設定に関するデータが格納された、Ｆｉｌｅ１００，Ｆｉｌｅ２００がアップされている。
【００２８】
利用者は携帯電話機ＢからウェブサイトＡにアクセスし、Ｆｉｌｅ１００をダウンロードした時、携帯電話機ＢにはＦｉｌｅ３００にＦｉｌｅ１００のデータが保存され、『このデータで設定しますか？』のポップアップに『はい』を選択回答すると、携帯電話機Ｂの環境はデータ３０１〜３０６で指定されたものに設定される。ポップアップに『いいえ』を選択回答すると、保存までで処理は完了する。
【００２９】
また、Ｆｉｌｅ２００をダウンロードした時、携帯電話機ＢにはＦｉｌｅ４００にＦｉｌｅ２００のデータが保存され、『このデータで設定しますか？』のポップアップに『はい』を選択回答すると、携帯電話機Ｂの環境はデータ４０１〜４０６で指定されたものに設定される。
【００３０】
ポップアップに『いいえ』を選択回答すると、保存までで処理は完了する。
【００３１】
この時、Ｆｉｌｅ２００のダウンロード前に設定されていたＦｉｌｅ１００の設定はＦｉｌｅ３００に保存されている。
【００３２】
その後、携帯電話機Ｂに保存されたＦｉｌｅ３００を選択実行する事で環境設定は、データ３０１〜３０６で指定されたものに設定できる。
【００３３】
また、携帯電話機Ｂに保存されているＦｉｌｅ４００は壁紙データ４０１とアイコンデータ４０２についてはＦｉｌｅ０００をもとにカスタマイズして各々００１、００２のデータを保存、その他のデータ４０３、４０４、４０５、４０６はＦｉｌｅ３００のデータをもとに各々３０３、３０４、３０５、３０６に変更することもできる。このように、いろいろなデータを組み合わせるなどでオリジナルの環境設定ファイルを作成する事もできる。
【００３４】
以上のようにして、環境設定が格納されたファイルをウェブサイトからダウンロード、または携帯電話機に保存された同様の環境設定を実行する事で一括での環境設定の変更を可能にする。
【００３５】
図１を参照すると、本発明の第１の実施の形態はＦｉｌｅ０００が保存されている携帯電話機Ｂと、Ｆｉｌｅ１００とＦｉｌｅ２００とがアップされているウェブサイトＡとから構成されている。Ｆｉｌｅ０００にはデータ００１〜００６が格納されており、同様にＦｉｌｅ１００にはデータ１０１〜１０６が、Ｆｉｌｅ２００にはデータ２０１〜２０６が、Ｆｉｌｅ３００にはデータ３０１〜３０６が、Ｆｉｌｅ４００にはデータ４０１〜４０６が格納されている。
【００３６】
データ００１，１０１，２０１，３０１，４０１は同様の形式であり、各々壁紙の画像データが格納されている。
【００３７】
データ００２，１０２，２０２，３０２，４０２は同様の形式であり、各々グループ化されたアイコンデータが格納されている。
【００３８】
データ００３，１０３，２０３，３０３，４０３は同様の形式であり、各々着信音の音楽データが格納されている。
【００３９】
データ００４，１０４，２０４，３０４，４０４は同様の形式であり、各々留守電機能をＯＮにするか、ＯＦＦにするかの情報が格納されている。
【００４０】
データ００５，１０５，２０５，３０５，４０５は同様の形式であり、各々ボタン確認音をＯＮにするか、ＯＦＦにするかの情報が格納されている。
【００４１】
データ００６，１０６，２０６，３０６，４０６は同様の形式であり、各々バイブレータをＯＮにするか、ＯＦＦにするかの情報が格納されている。
【００４２】
次に、図２及び図３、図４のフローチャートを参照して本発明の第１の実施の形態の全体の動作について詳細に説明する。
【００４３】
図２、図３、図４は各々、図２はウェブサイトから環境設定ファイルをダウンロードした場合、図３は携帯電話機内の環境設定ファイルを指定実行した場合、図４は環境設定ファイルをカスタム設定・実行した場合のフローである。
【００４４】
まず、図２ではウェブサイトから環境設定ファイルをダウンロードする（ＳＴＥＰ１Ａ）。
【００４５】
携帯電話機へ環境設定ファイルを保存する（ＳＴＥＰ２Ａ）。
【００４６】
環境設定ファイルを実行する（ＳＴＥＰ３Ａ）。
【００４７】
携帯電話機に環境設定ファイルの壁紙データを設定する（ＳＴＥＰ４Ａ）。
【００４８】
携帯電話機に環境設定ファイルのアイコンデータを設定する（ＳＴＥＰ５Ａ）。
【００４９】
携帯電話機に環境設定ファイルの着信音データを設定する（ＳＴＥＰ６Ａ）。
【００５０】
携帯電話機に環境設定ファイルの留守電データで指定された留守電機能のＯＮ／ＯＦＦを設定する（ＳＴＥＰ７Ａ）。
【００５１】
携帯電話機に環境設定ファイルのボタン確認音データで指定されたボタン確認音機能のＯＮ／ＯＦＦを設定する（ＳＴＥＰ８Ａ）。
【００５２】
携帯電話機に環境設定ファイルのバイブレータデータで指定されたバイブレータ機能のＯＮ／ＯＦＦを設定する（ＳＴＥＰ９Ａ）。
【００５３】
図３では環境設定ファイルを実行する（ＳＴＥＰ１Ｂ）。
【００５４】
携帯電話機に環境設定ファイルの壁紙データを設定する（ＳＴＥＰ２Ｂ）。
【００５５】
携帯電話機に環境設定ファイルのアイコンデータを設定する（ＳＴＥＰ３Ｂ）。
【００５６】
携帯電話機に環境設定ファイルの着信音データを設定する（ＳＴＥＰ４Ｂ）。
【００５７】
携帯電話機に環境設定ファイルの留守電データで指定された留守電機能のＯＮ／ＯＦＦを設定する（ＳＴＥＰ５Ｂ）。
【００５８】
携帯電話機に環境設定ファイルのボタン確認音データで指定されたボタン確認音機能のＯＮ／ＯＦＦを設定する（ＳＴＥＰ６Ｂ）。
【００５９】
携帯電話機に環境設定ファイルのバイブレータデータで指定されたバイブレータ機能のＯＮ／ＯＦＦを設定する（ＳＴＥＰ７Ｂ）。
【００６０】
図４では環境設定ファイルへ壁紙データを登録する（ＳＴＥＰ１Ｃ）。
【００６１】
環境設定ファイルへアイコンデータを登録する（ＳＴＥＰ２Ｃ）。
【００６２】
環境設定ファイルへ着信音データを登録する（ＳＴＥＰ３Ｃ）。
【００６３】
環境設定ファイルへ留守電データを登録する（ＳＴＥＰ４Ｃ）。
【００６４】
環境設定ファイルへボタン確認音データを登録する（ＳＴＥＰ５Ｃ）。
【００６５】
環境設定ファイルへバイブレータデータを登録する（ＳＴＥＰ６Ｃ）。
【００６６】
携帯電話機へ環境設定ファイルを保存する（ＳＴＥＰ７Ｃ）。
【００６７】
環境設定ファイルを実行する（ＳＴＥＰ８Ｃ）。
【００６８】
携帯電話機に環境設定ファイルの壁紙データを設定する（ＳＴＥＰ９Ｃ）。
【００６９】
携帯電話機に環境設定ファイルのアイコンデータを設定する（ＳＴＥＰ１０Ｃ）。
【００７０】
携帯電話機に環境設定ファイルの着信音データを設定する（ＳＴＥＰ１１Ｃ）。
【００７１】
携帯電話機に環境設定ファイルの留守電データで指定された留守電機能のＯＮ／ＯＦＦを設定する（ＳＴＥＰ１２Ｃ）。
【００７２】
携帯電話機に環境設定ファイルのボタン確認音データで指定されたボタン確認音機能のＯＮ／ＯＦＦを設定する（ＳＴＥＰ１３Ｃ）。
【００７３】
携帯電話機に環境設定ファイルのバイブレータデータで指定されたバイブレータ機能のＯＮ／ＯＦＦを設定する（ＳＴＥＰ１４Ｃ）。
【００７４】
次に、具体例を用いて説明する。
【００７５】
図２に示すように、ウェブにアクセスしてあるサイトから環境設定ファイルをダウンロードした場合、ＳＴＥＰ１ＡからＳＴＥＰ２Ａ、…、ＳＴＥＰ９Ａまでが連続して動作する。
【００７６】
図３に示すように、携帯電話機内の環境設定ファイルを指定して実行した場合は、ＳＴＥＰ１Ｂから、ＳＴＥＰ２Ｂ、…、ＳＴＥＰ７Ｂまでが連続して動作する。
【００７７】
図４に示すように、環境設定ファイルをカスタムする事も可能で、ＳＴＥＰ１ＣまたはＳＴＥＰ２Ｃ、ＳＴＥＰ３Ｃ、…、ＳＴＥＰ６Ｃをそれぞれ行なう事で、ＳＴＥＰ７Ｃ、…、ＳＴＥＰ１４Ｃまでが連続して動作する。
【００７８】
（発明の第２の実施の形態）
次に、本発明の第２の実施の形態について図を参照して詳細に説明する。
【００７９】
図５を参照すると、本発明の第２の実施の形態はＦｉｌｅ０１０が保存されている携帯電話機Ｂと、Ｆｉｌｅ１１０とＦｉｌｅ２１０が保存されているパソコンＣとから構成されている。Ｆｉｌｅ０１０にはデータ０１１〜０１６が格納されており、同様にＦｉｌｅ１１０にはデータ１１１〜１１６が、Ｆｉｌｅ２１０にはデータ２１１〜２１６、Ｆｉｌｅ３１０にはデータ３１１〜３１６が格納されている。
【００８０】
データ０１１，１１１，２１１，３１１は同様の形式であり、各々壁紙の画像データが格納されている。
【００８１】
データ０１２，１１２，２１２，３１２は同様の形式であり、各々グループ化されたアイコンデータが格納されている。
【００８２】
データ０１３，１１３，２１３，３１３は同様の形式であり、各々着信音の音楽データが格納されている。
【００８３】
データ０１４，１１４，２１４，３１４は同様の形式であり、各々留守電機能をＯＮにするか、ＯＦＦにするかの情報が格納されている。
【００８４】
データ０１５，１１５，２１５，３１５は同様の形式であり、各々ボタン確認音をＯＮにするか、ＯＦＦにするかの情報が格納されている。
【００８５】
データ０１６，１１６，２１６，３１６は同様の形式であり、各々バイブレータをＯＮにするか、ＯＦＦにするかの情報が格納されている。
【００８６】
次に、図６のフローチャートを参照して本発明の第２の実施の形態の全体の動作について詳細に説明する。
【００８７】
まず、図６ではパソコンからシリアルケーブルを使って環境設定ファイルをダウンロードする（ＳＴＥＰ１Ｄ）。
【００８８】
携帯電話機へ環境設定ファイルを保存する（ＳＴＥＰ２Ｄ）。
【００８９】
環境設定ファイルを実行する（ＳＴＥＰ３Ｄ）。
【００９０】
携帯電話機に環境設定ファイルの壁紙データを設定する（ＳＴＥＰ４Ｄ）。
【００９１】
携帯電話機に環境設定ファイルのアイコンデータを設定する（ＳＴＥＰ５Ｄ）。
【００９２】
携帯電話機に環境設定ファイルの着信音データを設定する（ＳＴＥＰ６Ｄ）。
【００９３】
携帯電話機に環境設定ファイルの留守電データで指定された留守電機能のＯＮ／ＯＦＦを設定する（ＳＴＥＰ７Ｄ）。
【００９４】
携帯電話機に環境設定ファイルのボタン確認音データで指定されたボタン確認音機能のＯＮ／ＯＦＦを設定する（ＳＴＥＰ８Ｄ）。
【００９５】
携帯電話機に環境設定ファイルのバイブレータデータで指定されたバイブレータ機能のＯＮ／ＯＦＦを設定する（ＳＴＥＰ９Ｄ）。
【００９６】
次に、具体例を用いて説明する。
【００９７】
図６に示すように、パソコンにシリアルケーブルで接続して環境設定ファイルをダウンロードした場合、ＳＴＥＰ１ＤからＳＴＥＰ２Ｄ、…、ＳＴＥＰ９Ｄまでが連続して動作する。
【００９８】
（発明の第３の実施の形態）
上述のように、本発明の第１の実施の形態のウェブサイトからのダウンロード、本発明の第２の実施の形態のシリアルケーブルを利用したパソコンからのダウンロードの他にも、本発明の第３の実施の形態として図７に示すように、環境設定ファイルのダウンロード元を携帯電話機同士の赤外線を利用したデータ交換等とすることで、様々な応用で実施が可能となる。
【００９９】
【発明の効果】
以上説明したように、本発明には以下の効果がある。
【０１００】
第１の効果は、ウェブサイトやパソコン又は他の携帯電話機から環境設定ファイルを一括してダウンロードできることにある。
【０１０１】
その理由は、複数ある環境設定を少ない操作でできるためである。
【０１０２】
第２の効果は、携帯電話機の中に複数の環境設定ファイルを保存できることにある。
【０１０３】
その理由は、容易に必要に応じた設定に変更できるためである。
【０１０４】
第３の効果は、一見してその時の環境設定が判別できることにある。
【０１０５】
その理由は、環境設定ファイル内にイメージを登録できるためである。
【０１０６】
第４の効果は、携帯電話機内に保存されたファイルは他のデータを登録変更する事でカスタム可能な点にある。
【図面の簡単な説明】
【図１】本発明の第１の実施の形態の携帯電話機とウェブサイトとの構成を示す図である。
【図２】ウェブサイトから環境設定ファイルをダウンロードした場合のフローチャートを示す図である。
【図３】携帯電話機内の環境設定ファイルを指定実行した場合のフローチャートを示す図である。
【図４】環境設定ファイルをカスタム設定・実行した場合のフローチャートを示す図である。
【図５】本発明の第２の実施の形態の携帯電話機とパソコンとの構成を示す図である。
【図６】パソコンから環境設定ファイルをダウンロードした場合のフローチャートを示す図である。
【図７】本発明の第３の実施の形態の携帯電話機同士の構成を示す図である。
【符号の説明】
０００，０１０，０２０，２００，２１０，２２０，３００，３１０，３２０，４００        Ｆｉｌｅ
００１〜００６，０１１〜０１６，０２１〜０２６，１０１〜１０６，１１１〜１１６，１２１〜１２６，２０１〜２０６，２１１〜２１６，２２１〜２２６，３０１〜３０６，３１１〜３１６，３２１〜３２６，４０１〜４０６        データ
Ａ        ウェブサイト
Ｂ、Ｄ        携帯電話機
Ｃ        パソコン
【図１】
2004248170.tif 000003
【図２】
2004248170.tif 000004
【図３】
2004248170.tif 000005
【図４】
2004248170.tif 000006
【図５】
2004248170.tif 000007
【図６】
2004248170.tif 000008
【図７】
2004248170.tif 000009